(57)【要約】【課題】  光ピックアップ装置のレーザ素子温度上昇が課題となっており、放熱部材を追加することなくレーザ素子温度上昇を抑え、信頼性の高い光ピックアップ装置を提供する。【解決手段】  レーザ発光部であるレーザ素子と、このレーザ素子を固定する固定部を備えた金属製のレーザホルダと、前記レーザ素子からのレーザ光を受光するレーザ受光素子と、前記レーザ光の光軸上に配置される光学素子と、前記レーザ光を光ディスク上に集光させるための対物レンズを保持する光ピックアップ筺体とを備えた光ピックアップ装置において、前記レーザホルダの前記固定部から前記光ディスク面方向に伸びる受風部を設けるとともに、前記受風部の厚さを前記固定部の厚さよりも薄くした。【選択図】図１
2013033575.tif 000002
【特許請求の範囲】
【請求項１】
レーザ発光部であるレーザ素子と、このレーザ素子を固定する固定部を備えた金属製のレーザホルダと、前記レーザ素子からのレーザ光を受光するレーザ受光素子と、前記レーザ光の光軸上に配置される光学素子と、前記レーザ光を光ディスク上に集光させるための対物レンズを保持する光ピックアップ筺体とを備えた光ピックアップ装置において、
前記レーザホルダの前記固定部から前記光ディスク面方向に伸びる受風部を設けるとともに、
前記受風部の厚さを前記固定部の厚さよりも薄くしたことを特徴とする光ピックアップ装置。
【請求項２】
請求項１記載の光ピックアップ装置において、
前記受風部は前記固定部とは反対方向に向かってテーパー形状とし、前記受風部は前記光ディスクに対向する面を備えていることを特徴とする光ピックアップ装置。
【請求項３】
請求項１と２のいずれかに記載の光ピックアップ装置において、
前記受風部は前記固定部とは反対方向に向かって階段状に狭まる形状とし、前記受風部は前記光ディスクに対向する面を備えていることを特徴とする光ピックアップ装置。
【請求項４】
請求項１乃至３のいずれかに記載の光ピックアップ装置において、
前記受風部に肉抜きによる貫通部を形成し、前記受風部は前記光ディスクに対向する面を備えていることを特徴とする光ピックアップ装置。
【請求項５】
請求項１乃至４のいずれかに記載の光ピックアップ装置において、
前記レーザホルダの受風部が板状であり、前記受風部は前記光ディスクに対向する面を備えていることを特徴とする光ピックアップ装置。
【請求項６】
請求項１乃至５のいずれかに記載の光ピックアップ装置において、
前記受風部を前記放熱カバーと熱的に接続させたことを特徴とする光ピックアップ装置。
【請求項７】
請求項１乃至６のいずれか一項に記載の光ピックアップ装置を具備することを特徴とする光ディスク装置。
【発明の詳細な説明】
【技術分野】
【０００１】
本発明は、光ディスクに情報の記録および再生を行う光ピックアップ装置に関する。
【背景技術】
【０００２】
光ピックアップ装置とは、光ディスク装置に搭載され、レーザ素子から照射したレーザ光によって光ディスク上に情報を記録、または、光ディスク上の情報を読み取る装置である。近年光ディスク装置では、記録速度の向上が重要な課題となっている。
【０００３】
このとき、高速で回転する光ディスクに情報を記録するため、光ピックアップ装置にはレーザ素子の高出力化が求められている。レーザ素子が高出力化されると、その温度上昇が大きくなっている。そのためレーザ素子の温度が高くなると、レーザ素子の寿命が低下したり、再生・記録精度が低下したりするため、レーザ素子の放熱性を高める必要がある。
【０００４】
そこで、一般的には、放熱カバーやピックアップ筺体に熱を伝えることでレーザ素子の温度上昇を抑制している。
【０００５】
一方で、光ピックアップはコスト低減も重要な課題であり、これまで金属ダイカスト製であった光ピックアップ筺体を樹脂製にすることが求められている。しかし、金属に比べて熱伝導率の低い樹脂を光ピックアップ筺体に適用することで、レーザ素子の放熱性が低下し、レーザ素子の温度が上昇してしまうことが大きな課題となる。
【０００６】
このような光ピックアップについて特許文献１には、レーザホルダにヒートシンクを取り付けることでレーザホルダからの放熱量を増大させる構造が記載されている。また、特許文献２には、レーザ素子に固定するレーザホルダに熱を発散させる突出部を設け、その突出部を筺体内に収める構造が記載されている。
【先行技術文献】
【特許文献】
【０００７】
【特許文献１】特開２００１−１６７４６２号公報
【特許文献２】特開２００５−３３９７５９号公報
【発明の概要】
【発明が解決しようとする課題】
【０００８】
上記従来技術では、レーザ素子で生じた熱をレーザ素子が固定されるレーザホルダから金属製の放熱カバーあるいはヒートシンク等の放熱部材に伝え、光ディスクの回転に伴う空気の流れを利用して放熱していた。
【０００９】
しかし、光ピックアップ装置に放熱部材を取り付ける構造では、レーザホルダと放熱部材間の熱抵抗が課題となる。そこで放熱グリスを塗布したり、熱伝導シートを挟んだりすることで熱抵抗を低減させているが、部品数が増えるため、組立工数も増大し、コストが増大するという課題があった。
【００１０】
また、レーザホルダの体積を増大させることで、レーザ素子の温度上昇を抑えることができるが、ノートパソコン等に搭載される薄型の光ディスク装置に対応する光ピックアップにおいては、発熱量が増大するレーザ素子に対応するだけの体積増加は難しい。
【００１１】
さらに、光ピックアップは、光ディスクドライブのディスクトレイおよびメカカバー下に固定されるため、ディスクトレイおよびメカカバーによって光ピックアップの上面の一部が覆われている。そのため、レーザホルダを拡大しただけでは、放熱量の増加は小さい。さらには部品が大きくなることで、組立時の部品干渉が大きな課題となる。
【００１２】
本発明の目的は、放熱用の構造部材を追加することなくレーザホルダからの放熱量を増大させることでレーザ素子の温度上昇を低減し、さらに作業性が高い光ピックアップ装置、さらには光ディスク装置を提供することにある。
【課題を解決するための手段】
【００１３】
上記目的は、レーザ発光部であるレーザ素子と、このレーザ素子を固定する固定部を備えた金属製のレーザホルダと、前記レーザ素子からのレーザ光を受光するレーザ受光素子と、前記レーザ光の光軸上に配置される光学素子と、前記レーザ光を光ディスク上に集光させるための対物レンズを保持する光ピックアップ筺体とを備えた光ピックアップ装置において、前記レーザホルダの前記固定部から前記光ディスク面方向に伸びる受風部を設けるとともに、前記受風部の厚さを前記固定部の厚さよりも薄くしたことにより達成される。
【００１４】
また上記目的は、前記受風部は前記固定部とは反対方向に向かってテーパー形状とし、前記受風部は前記光ディスクに対向する面を備えることが好ましい。
【００１５】
また上記目的は、前記受風部は前記固定部とは反対方向に向かって階段状に狭まる形状とし、前記受風部は前記光ディスクに対向する面を備えることが好ましい。
【００１６】
また上記目的は、前記受風部に肉抜きによる貫通部を形成し、前記受風部は前記光ディスクに対向する面を備えることが好ましい。
【００１７】
また上記目的は、前記レーザホルダの受風部が板状であり、前記受風部は前記光ディスクに対向する面を備えることが好ましい。
【００１８】
また上記目的は、前記受風部を前記放熱カバーと熱的に接続させることが好ましい。
【発明の効果】
【００１９】
本発明によれば、レーザ素子で生じた熱を金属製のレーザホルダから放熱部材を介さず、ディスク回転によって生じる空気流によって受風部から効率的に放熱することができる。そのため、レーザ素子が高温になることで光ディスクへの情報の記録、再生精度が低下するという課題を解決し、信頼性の高い光ピックアップ装置を提供することができる。
【図面の簡単な説明】
【００２０】
【図１】実施例１に係る光ピックアップ装置の概略斜視図である。
【図２】図１に示した光ピックアップをｙ軸方向から見た概略側面図である。
【図３】実施例１に係る光ディスクドライブの要部概略上面図である。
【図４】図３のＡ−Ａ’線による概略断面図である。
【図５】従来のレーザホルダ固定部を説明する概略断面図である。
【図６】実施例２に係るプリズム固定部の要部を示した概略斜視図である。
【図７】実施例３に係るプリズム固定部の要部を示した概略斜視図である。
【図８】実施例４に係るプリズム固定部の要部を示した概略斜視図である。
【図９】実施例５に係るプリズム固定部の要部を示した概略斜視図である。
【発明を実施するための最良の形態】
【００２１】
さて、レーザホルダはピックアップ筺体に対して接着剤で固定されている。そしてこのレーザホルダは接着する際に最も重要なことは、レーザ光の光軸に配慮されたレンズホルダの固定角度である。
【００２２】
そのため、一般的にはレーザホルダをピックアップホルダに対して光軸の調整をするためレーザホルダを回転させながら調整し、最適な角度（位置）で接着している。
【００２３】
ところが上述した従来技術のように、放熱面積を拡大するためにレーザホルダにヒートシンクや突出部を取り付けた場合には、レーザホルダを回転させることができなくなってしまう。
【００２４】
つまり、レンズホルダを回転させると、ヒートシンク或いは突出部が近傍の部品と干渉してしまうという問題が生じる。特にピックアップホルダを動作させるためのドライバーや光ディスクに衝突してしまった場合には、致命傷となってしまう。
【００２５】
そこで本発明の発明者らはドライバーや光ディスクに衝突しない（干渉しない）ヒートシンクや突出部について種々検討した結果、以下のごとき実施例を得た。
【００２６】
以下、実施例について図面を用いて説明する。
【実施例１】
【００２７】
図１は実施例１に係る光ピックアップ装置の概略斜視図である。  
図２は図１に示した光ピックアップの側面図である。  
図１、図２において、光ピックアップ装置１はレーザ射出部であるレーザ素子５とレーザ素子５を保持するレーザホルダ１０と、レーザ素子５から射出されたレーザ光を光ディスクに導くプリズムやレンズ（図示せず）と、光ディスク上にレーザ光を収束させる対物レンズ３ａとその対物レンズを駆動させる対物レンズ駆動装置３ｂと、搭載される電子部品からの熱を放熱する放熱カバー４を搭載する光ピックアップ筺体２とから構成されている。
【００２８】
このとき、レーザホルダ１０は、レーザ素子５を固定する固定部１０ａと、受風部１０ｂから成る。このレーザホルダ１０は光ピックアップ筺体２に対して接着剤１５を介して接着されている。１１ａは受風部１０のディスク側対向面であり、１１ｂは逆の光ディスク装置のボトムカバー側対向面である。
【００２９】
図１、図２に示すように、レーザホルダ１０形成された受風部１０ｂのディスク側対向面１１ａとボトムカバー側対向面１１ｂが先端に向かって傾斜し、受風部１０ｂの厚さが薄くなるテーパー形状となっている。この受風部１０ｂのディスク側対向面１１ａは放熱カバー４と略同一高さとなるように光ピックアップ筺体２に紫外線硬化型接着剤１５を用いて固定される。
【００３０】
各構成要素の材料は、たとえば光ピックアップ筺体２はマグネシウムダイカスト、亜鉛ダイカスト、アルミダイカスト、プラスチック、としてもよく、放熱カバー４は鉄合金板、アルミ板、銅板としてもよく、レーザホルダ１０はマグネシウムダイカスト、亜鉛ダイカスト、アルミダイカストとしてもよい。
【００３１】
図３は実施例１に係る光ディスクドライブの要部概略上面図である。  
図４は図３に示した光ディスクドライブの側面図である。
【００３２】
図３、図４において、光ピックアップ装置１は光ディスク装置２０のメカカバー７ａの下に配置されており、ガイドバー２２ａ、２２ｂによって保持されている。このとき、スピンドルモータ２１によって回転する光ディスク６に記録または再生する際に、光ピックアップ装置１はガイドバー２２ａ、２２ｂに沿って光ディスク６の半径方向（図中ｙ軸方向）に摺動する。
【００３３】
ここで、光ピックアップ装置１からレーザを射出するため、メカカバー７ａには開口部７ｂがあり、光ディスク６の半径方向に開口している。図１、図２に示した対物レンズ駆動装置３ｂは光ピックアップ装置１が摺動するとき、常に光ディスク６に対向している。また、受風部１０ｂもメカカバー開口部７ｂを介して光ディスク６に対向している。ただし、放熱カバー４はメカカバー７ａに覆われており、光ディスク６とは対向しない。
【００３４】
図５は従来のレーザホルダ固定部を説明する概略断面図である  
図５において、本図ではレーザ素子５の放熱経路は従来の光ピックアップ装置１の放熱経路について説明する。
【００３５】
従来の構造では、レーザ素子５を固定するレーザホルダ固定部１０ａと放熱カバー４を放熱剤１４あるいは接着剤で熱的に接続することで放熱カバーに伝えるようになっている。ここで、光ディスク６に情報を記録する際、光ディスク６は図３に示したスピンドルモータ２１によって回転させられている。このときの光ディスク６の回転によって回転方向に沿った空気流８が生じ、光ディスク６とメカカバー７ａおよびメカカバーの開口部７ｂから露出している光ピックアップ装置１の間を流れる。この流れはメカカバー開口部７ｂにて光ディスク６と対向している放熱カバー４の上を流れ、光ディスク装置２０中に放熱される。メカカバー７ａに覆われている部分では、レーザ素子５から放熱カバー４に伝えられた熱はメカカバー７ａに伝わり、メカカバー７ａから光ディスク装置２０中に放熱される。
【００３６】
このとき、放熱剤１４および接着剤はレーザホルダ固定部１０ａや放熱カバー４に比べて熱伝導率が低いため、放熱カバー４に熱が伝わりにくく、レーザ素子５の温度が上昇しやすい。また、光ピックアップ装置１を組み立てる際に、放熱剤１４を塗布する必要があるため、作業工数が多くなり、組み立て性が悪化するという課題があった。
【００３７】
これに対し、図１から図４に示した実施例１に係るレーザホルダ１０では、レーザ素子５で生じた熱は、レーザホルダ固定部１０ａから受風部１０ｂに広がる。さらに受風部１０ｂのディスク側対向面１１ａ上を光ディスク６の回転によって生じる空気流８が流れるため、レーザホルダのディスク側対向面１１ａから放熱される。
【００３８】
したがって、放熱剤１４等の熱伝導部材を介さず、レーザ素子５を効率的に冷却することができる。
【００３９】
特にレーザ出力が増大する高倍速記録時には、光ディスク６の回転数も増大し、回転によって生じる空気流８の速度が増大する。そのため、受風部１０ｂの光ディスクに対向するディスク側対向面１１ａからの放熱量が増大し、レーザ素子５の冷却効果が顕著に高まる。このことから、レーザ素子５の過度の温度上昇を低減できるため、光ピックアップ装置１の信頼性の低下を防ぐことができる。
【００４０】
また、光ピックアップ装置１を組み立てる手順として、レーザ素子５を固定したレーザホルダ１０を光ピックアップ筺体２に固定する際に、まずレーザ素子の取り付け角度を調整し、その後、紫外線硬化型接着剤１５を用いて光ピックアップ筺体２に固定するようになっている。
【００４１】
したがって、本実施例では受風部１０ｂはテーパー形状を有しているため、取り付け角度の調整を行った際にも光ディスクに対向する面１１ａがピックアップ筺体２に搭載する他の部品と干渉（接触）することがない。またメカカバー７ｂより受風部１０ｂが光ディスク６に近接し、光ディスク６と干渉することを防ぐことができる。同様に、光ディスク装置２０のボトムカバー２３と干渉することを防ぐことができる。
【００４２】
さらに本実施例では、レーザ素子５を固定するためのレーザホルダ固定部１０ａおよび受風部１０ｂから光ディスク装置５中に放熱されるため、放熱カバー４やヒートシンク等の放熱部材や、放熱部材とレーザホルダ１０を熱的に接続する放熱剤１４や接着剤等の熱伝導部材を必要とせず、部品点数の削減および工数の低減によってコストを低減できる。
【００４３】
なお、本実施例では受風部１０ｂをテーパー形状としたが、必ずしもテーパー形状である必要はなく、レーザ素子固定部１０ａの厚みより薄くしても同じ効果を得ることができる。その場合、受風部１０ｂが他の部品と干渉しないように傾斜させておくことが必要である。
【実施例２】
【００４４】
図６は実施例２に係るプリズム固定部の要部を示した概略斜視図であり、図４のＡ−Ａ’線断面と同じ概略断面図である。
【００４５】
図６において、実施例１と同様に光ピックアップ装置１はレーザ射出部であるレーザ素子５と、このレーザ素子５を保持するレーザホルダ１０と、レーザ素子５から射出されたレーザ光を光ディスク６に導くプリズムやレンズ（図示せず）と、光ディスク上にレーザ光を収束させる対物レンズ３ａ（図１に示す）と、この対物レンズ３ａを駆動させる対物レンズ駆動装置３ｂ（図１に示す）と、搭載される電子部品からの熱を放熱する放熱カバー４を搭載する光ピックアップ筺体２とから構成されている。
【００４６】
このとき、レーザホルダ１０はレーザ素子５を固定する固定部１０ａと、レーザ素子５の熱を放熱する受風部１０ｂから成る。この受風部１０ｂは実施例１のようにテーパー形状ではなくてもよく、たとえば、レーザ固定部１０ａから階段状に狭まる形状としてもよい。また、受風部１０ｂのディスク側対向面１１ａは放熱カバー４と略同一高さとなるように光ピックアップ筺体２に紫外線硬化型接着剤１５を用いて固定している。
【００４７】
この構成により本実施例は、レーザ素子５で生じた熱は、レーザホルダ固定部１０ａから受風部１０ｂに広がる。さらに受風部１０ｂのディスク側対向面１１ａ上を光ディスク６の回転によって生じる空気流８が流れるため、レーザホルダのディスク側対向面１１ａから放熱される。そのため、放熱剤１４等の熱伝導部材を介さず、レーザ素子５を効率的に冷却することができる。このことから、光ピックアップ装置１の信頼性の低下を防ぐことができる。
【００４８】
さらに、受風部１０ｂは階段状に厚さが薄くなっているため、取り付け角度の調整を行った際にもピックアップ筺体２に搭載する他の部品と干渉することはない。またメカカバー７ｂより受風部１０ｂが光ディスク６に近接し、光ディスク６と干渉することを防ぐことができる。同様に、光ディスク装置２０のボトムカバー２３と干渉することを防ぐことができる。
【００４９】
さらに本実施例では、レーザ素子５を固定するためのレーザホルダ固定部１０ａおよび受風部１０ｂから光ディスク装置５中に放熱されるため、放熱カバー４やヒートシンク等の放熱部材や、放熱部材とレーザホルダ１０を熱的に接続する放熱剤１４や接着剤等の熱伝導部材を必要とせず、部品点数の削減および工数の低減によってコストを低減できる。
【実施例３】
【００５０】
図７は実施例３に係るプリズム固定部の要部を示した概略斜視図であり、図４のＡ−Ａ’断面と同じ概略断面図である。  
図７において、実施例１と同様に光ピックアップ装置１はレーザ射出部であるレーザ素子５と、このレーザ素子５を保持するレーザホルダ１０と、レーザ素子５から射出されたレーザ光を光ディスクに導くプリズムやレンズ（図示せず）と、光ディスク上にレーザ光を収束させる対物レンズ３ａ(図１に示す)とその対物レンズ３ａを駆動させる対物レンズ駆動装置３ｂ（図１に示す）と、搭載される電子部品からの熱を放熱する放熱カバー４を搭載する光ピックアップ筺体２から成る。このとき、レーザホルダ１０は、レーザ素子５を固定する固定部１０ａと、レーザ素子５の熱を放熱する受風部１０ｂとから構成されている。
【００５１】
レーザホルダ１０において、この受風部１０ｂは、先端に向かって受風部１０ｂの厚さが薄くなるテーパー形状を有する。また、受風部１０ｂのディスク側対向面１１ａは放熱カバー４と略同一高さとなるように光ピックアップ筺体２に紫外線硬化型接着剤１５を用いて固定する。
【００５２】
このとき、受風部１０ｂはレーザホルダ固定部１０ａから均一な厚さに延伸していなくともよく、受風部１０ｂの内部を肉抜きした貫通部１３を設けてもよい。
【００５３】
この構成により本実施例は、レーザ素子５で生じた熱は、レーザホルダ固定部１０ａから受風部１０ｂに広がる。さらに受風部１０ｂのディスク側対向面１１ａ上を光ディスク６の回転によって生じる空気流８が流れるため、レーザホルダのディスク側対向面１１ａから放熱される。そのため、放熱剤１４等の熱伝導部材を介さず、レーザ素子５を効率的に冷却することができる。このことから、光ピックアップ装置１の信頼性の低下を防ぐことができる。
【００５４】
さらに、受風部１０ｂは先端で厚さが薄くなっているため、取り付け角度の調整を行った際にもピックアップ筺体２に搭載する他の部品と干渉（接触）しない。またメカカバー７ｂより受風部１０ｂが光ディスク６に近接し、光ディスク６と干渉することを防ぐことができる。同様に、光ディスク装置２０のボトムカバー２３と干渉することを防ぐことができる。
【００５５】
さらに本実施例では、レーザ素子５を固定するためのレーザホルダ固定部１０ａおよび受風部１０ｂから光ディスク装置５中に放熱されるため、放熱カバー４やヒートシンク等の放熱部材や、放熱部材とレーザホルダ１０を熱的に接続する放熱剤１４や接着剤等の熱伝導部材を必要とせず、部品点数の削減および工数の低減によってコストを低減できる。
【００５６】
さらに本実施例では、受風部１０ｂに貫通部１３を設けたのでレーザホルダ１０を軽量化することができ、光ピックアップ装置１に衝撃が加えられた際に、レーザホルダ１０が光ピックアップ筺体２から脱落しにくくなる。
【実施例４】
【００５７】
図８は実施例４に係るプリズム固定部の要部を示した概略斜視図であり、図４のＡ−Ａ’線断面と同じ概略断面図である。  
図８において、実施例１と同様に光ピックアップ装置１はレーザ射出部であるレーザ素子５と、このレーザ素子５を保持するレーザホルダ１０と、レーザ素子５から射出されたレーザ光を光ディスクに導くプリズムやレンズ（図示せず）と、光ディスク上にレーザ光を収束させる対物レンズ３ａ（図１に示す）と、その対物レンズ３ａを駆動させる対物レンズ駆動装置３ｂ（図１に示す）と、搭載される電子部品からの熱を放熱する放熱カバー４を搭載する光ピックアップ筺体２とから成る。このとき、レーザホルダ１０は、レーザ素子５を固定する固定部１０ａと、レーザ素子５の熱を放熱する受風部１０ｂとから構成されている。
【００５８】
受風部１０ｂはレーザ固定部１０ａから均一な厚さで延伸した構造でなくともよく、板状の構造としてもよい。このとき、受風部１０ｂはレーザ固定部に対して１度から３度の角度を有することが望ましい。
【００５９】
この構成により本実施例は、レーザ素子５で生じた熱は、レーザホルダ固定部１０ａから受風部１０ｂに広がる。さらに受風部１０ｂのディスク側対向面１１ａ上を光ディスク６の回転によって生じる空気流８が流れるため、レーザホルダのディスク側対向面１１ａから放熱される。そのため、放熱剤１４等の熱伝導部材を介さず、レーザ素子５を効率的に冷却することができる。このことから、光ピックアップ装置１の信頼性の低下を防ぐことができる。
【００６０】
さらに、受風部１０ｂは板状であるため、取り付け角度の調整を行った際にもピックアップ筺体２に搭載する他の部品と干渉しない。またメカカバー７ｂより受風部１０ｂが光ディスク６に近接し、光ディスク６と干渉することを防ぐことができる。同様に、光ディスク装置２０のボトムカバー２３と干渉することを防ぐことができる。
【００６１】
さらに本実施例では、レーザ素子５を固定するためのレーザホルダ固定部１０ａおよび受風部１０ｂから光ディスク装置５中に放熱されるため、放熱カバー４やヒートシンク等の放熱部材や、放熱部材とレーザホルダ１０を熱的に接続する放熱剤１４や接着剤等の熱伝導部材を必要とせず、部品点数の削減および工数の低減によってコストを低減できる。
【００６２】
さらに本実施例では、レーザホルダを軽量化することができるため、光ピックアップ装置１に衝撃が加えられた際に、レーザホルダ１０が光ピックアップ筺体２から脱落しにくくなる。
【実施例５】
【００６３】
図９は実施例５に係るプリズム固定部の要部を示した概略斜視図であり、図４のＡ−Ａ’断面と同じ概略断面図を示す。
【００６４】
図９において、実施例１と同様に光ピックアップ装置１はレーザ射出部であるレーザ素子５と、このレーザ素子５を保持するレーザホルダ１０と、レーザ素子５から射出されたレーザ光を光ディスクに導くプリズムやレンズ（図示せず）と、光ディスク上にレーザ光を収束させる対物レンズ３ａ（図１に示す）とその対物レンズを駆動させる対物レンズ駆動装置３ｂ（図１に示す）と、搭載される電子部品からの熱を放熱する放熱カバー４を搭載する光ピックアップ筺体２とから構成されている。
【００６５】
このとき、レーザホルダ１０は、レーザ素子５を固定する固定部１０ａと、レーザ素子５の熱を放熱する受風部１０ｂから成る。レーザホルダ１０において、この受風部１０ｂは、レーザ固定部１０ａを、対物レンズ駆動装置３ｂ部分までｘ軸方向に延伸し、先端に向かって受風部１０ｂの厚さが薄くなるテーパー形状を有する。また、受風部１０ｂのディスク側対向面１１ａは放熱カバー４と略同一高さとなるように光ピックアップ筺体２に紫外線硬化型接着剤１５を用いて固定する。
【００６６】
このとき、レーザホルダ上に放熱カバー４を延伸し、レーザホルダ１０と放熱剤１４によって熱的に接続してもよい。
【００６７】
この構造により、放熱グリスの塗布面積が増大し、レーザホルダ１０と放熱カバー４間の熱抵抗を小さく抑えることができる。そのため、レーザ素子５で生じた熱は、放熱カバー４に効率的に伝わり、放熱カバー４の表面を光ディスク６の回転によって生じる空気流８が流れるため、放熱カバー４から放熱される。このことから、光ピックアップ装置１の信頼性の低下を防ぐことができる。
【００６８】
さらに、受風部１０ｂは先端で厚さが薄くなっているため、取り付け角度の調整を行った際にも、放熱カバー４などピックアップ筺体２に搭載する他の部品と干渉しない。またメカカバー７ｂより受風部１０ｂが光ディスク６に近接し、光ディスク６と干渉することを防ぐことができる。同様に、光ディスク装置２０のボトムカバー２３と干渉することを防ぐことができる。
【００６９】
さらに本実施例では、レーザ素子５を固定するためのレーザホルダ固定部１０ａおよび受風部１０ｂから光ディスク装置５中に放熱されるため、放熱カバー４やヒートシンク等の放熱部材や、放熱部材とレーザホルダ１０を熱的に接続する放熱剤１４や接着剤等の熱伝導部材を必要とせず、部品点数の削減および工数の低減によってコストを低減できる。
【符号の説明】
【００７０】
１…光ピックアップ装置、２…光ピックアップ筺体、３ａ…対物レンズ、３ｂ…対物レンズ駆動装置、４…放熱カバー、５…レーザ素子、６…光ディスク、７ａ…メカカバー、７ｂ…メカカバー開口部、８…回転流、９…ボトムカバー、１０…レーザホルダ、１０ａ…レーザ素子固定部、１０ｂ…受風部、１１ａ…ディスク側対向面、１１ｂ…ボトムカバー側対向面、１３…貫通部、１４…放熱剤、１５…紫外線硬化型接着剤、２０…光ディスク装置、２１…スピンドルモータ、２２ａ、２２ｂ…ガイドバー、２３…ボトムカバー。
【図１】
2013033575.tif 000003
【図２】
2013033575.tif 000004
【図３】
2013033575.tif 000005
【図４】
2013033575.tif 000006
【図５】
2013033575.tif 000007
【図６】
2013033575.tif 000008
【図７】
2013033575.tif 000009
【図８】
2013033575.tif 000010
【図９】
2013033575.tif 000011